(57)【要約】【課題】携帯装置のオーディオ機能の操作用のユーザインタフェースを表示リソースを有効活用できるように制御する「車載装置」を提供する。【解決手段】ナビゲーションモードが設定されたならば、メインウインドウ３１にナビゲーション画面を表示する（ａ）。プレイヤモードが設定されたならば、無線接続しているスマートフォン２のAVRCPのバージョンが1.3以降でない場合には、スマートフォン２から再生中オーディオデータのメタ情報を取得できないので、メインウインドウ３１の表示を維持したまま、スマートフォン２のオーディオ機能操作用ボタンを配置したコントールウインドウ３２を表示し（ｂ）、AVRCPのバージョンが1.3以降である場合には、メインウインドウ３１にスマートフォン２のオーディオ機能操作用ボタンと、スマートフォン２から取得した再生中オーディオデータのメタ情報とを表したプレイヤ画面を表示する（ｃ）。【選択図】図２
2012221392.tif 000002
【特許請求の範囲】
【請求項１】
自動車に搭載される車載装置であって、
表示装置と、
オーディオ機能を備えた携帯装置を無線接続可能な無線インタフェースと、
前記無線インタフェースに接続した携帯装置が、当該携帯装置のオーディオ機能で再生中のオーディオデータのメタ情報を出力可能であるか否かを判定する判定手段と、
前記無線インタフェースに接続した携帯装置のオーディオ機能の操作用のボタンと、当該携帯装置から取得した前記メタ情報の表示を含むプレイヤ画面を生成するオーディオ機能遠隔制御手段と、
所定の機能を提供する、当該機能のユーザインタフェースを構成するＵＩ画面を生成する機能部と、
ユーザから第１のモードが設定されたときに、前記表示装置の表示を前記ＵＩ画面に切り替え、ユーザから第２のモードが設定されたときに、前記無線インタフェースに接続した携帯装置が前記メタ情報を出力可能であると前記判定手段によって判定されている場合には、前記表示装置の表示を前記プレイヤ画面に切り替え、前記無線インタフェースに接続した携帯装置が前記メタ情報を出力可能でないと前記判定手段によって判定されている場合には、前記表示装置の前記ＵＩ画面の表示を維持するユーザインタフェース切替手段とを有し、
前記オーディオ機能遠隔制御手段は、前記プレイヤ画面が表示されているときに、ユーザの前記ボタンの操作に応じて、前記無線インタフェースに接続した携帯装置のオーディオ機能を制御することを特徴とする車載装置。
【請求項２】
請求項１記載の車載装置であって、
前記ユーザインタフェース切替手段は、ユーザから前記第２のモードが設定されたときに、前記無線インタフェースに接続した携帯装置が前記メタ情報を出力可能でないと前記判定手段によって判定されている場合には、前記表示装置の前記ＵＩ画面の表示を維持しつつ、当該ＵＩ画面の表示上に、前記無線インタフェースに接続した携帯装置のオーディオ機能の操作用のボタンを配置したオーディオ機能制御用ウインドウを表示し、
前記オーディオ機能遠隔制御手段は、前記オーディオ機能制御用ウインドウが表示されているときに、当該オーディオ機能制御用ウインドウに配置された前記ボタンに対するユーザの操作に応じて、前記無線インタフェースに接続した携帯装置のオーディオ機能を制御することを特徴とする車載装置。
【請求項３】
請求項１または２記載の車載装置であって、
前記機能部が提供する前記所定の機能はカーナビゲーション機能であって、前記ＵＩ画面は、地図上に現在位置を表したナビゲーション画面であることを特徴とする車載装置。
【請求項４】
請求項１、２または３記載の車載装置であって、
前記無線インタフェースは、Bluetooth規格に従った無線インタフェースであり、
前記判定手段は、前記無線インタフェースに接続した携帯装置が備えるプロファイルの情報を当該携帯装置より取得し、当該携帯装置が備えるAVRCP (Audio/Video Remote Control Profile)のバージョンが1.3以降のバージョンである場合に、当該携帯装置がオーディオ機能で再生中のオーディオデータのメタ情報を出力可能であると判定し、前記無線インタフェースに接続した携帯装置が備えるAVRCPのバージョンが1.3以降のバージョンでない場合に、当該携帯装置がオーディオ機能で再生中のオーディオデータのメタ情報を出力可能でないと判定することを特徴とする車載装置。
【発明の詳細な説明】
【技術分野】
【０００１】
本発明は、携帯装置を接続可能な車載装置において、携帯装置に記録されているオーディオデータの再生制御操作用のユーザインタフェースを制御する技術に関するものである。
【背景技術】
【０００２】
オーディオデータの再生制御操作用のユーザインタフェースの制御に関する技術としては、地図上に現在位置等を表したナビゲーション画面を表示するナビゲーション機能と、オーディオデータの再生機能とを備えた車載装置において、オーディオデータを再生する際に、再生中のオーディオデータが表す楽曲のアルバムやアーティストやタイトル等の情報とユーザの再生制御操作受け付け用のボタンとを配置したユーザインタフェース画面を表示する技術が知られている（たとえば、特許文献１）。
【先行技術文献】
【特許文献】
【０００３】
【特許文献１】特開２００８-０４１２１３号公報
【発明の概要】
【発明が解決しようとする課題】
【０００４】
携帯装置を接続可能な車載装置において、携帯装置に記録されているオーディオデータの再生制御操作用のユーザインタフェース画面として、上述した再生中のオーディオデータが表す楽曲のアルバムやアーティストやタイトル等の情報とユーザの再生制御操作受け付け用のボタンとを配置したユーザインタフェース画面を用いる場合には、次のような問題が生じる。
【０００５】
すなわち、携帯装置によっては、再生中のオーディオデータが表す楽曲のアルバムやアーティストやタイトル等の情報を接続された車載装置へ出力する機能や、再生制御操作の一部について当該操作に応じた制御を接続された車載装置から受け付ける機能を備えていない場合がある。そして、このような場合に、上述したユーザインタフェース画面を表示することとすると、無意な表示部分を多く含むこととなり、表示リソースの有効活用ができない。
【０００６】
そこで、本発明は、携帯装置を接続可能な車載装置において、携帯装置のオーディオ機能の操作用のユーザインタフェースを、表示リソースを有効活用できるように制御することを課題とする。
【課題を解決するための手段】
【０００７】
前記課題達成のために、本発明は、自動車に搭載される車載装置に、表示装置と、オーディオ機能を備えた携帯装置を無線接続可能な無線インタフェースと、前記無線インタフェースに接続した携帯装置が、当該携帯装置のオーディオ機能で再生中のオーディオデータのメタ情報を出力可能であるか否かを判定する判定手段と、前記無線インタフェースに接続した携帯装置のオーディオ機能の操作用のボタンと、当該携帯装置から取得した前記メタ情報の表示を含むプレイヤ画面を生成するオーディオ機能遠隔制御手段と、所定の機能を提供する、当該機能のユーザインタフェースを構成するＵＩ画面を生成する機能部と、ユーザから第１のモードが設定されたときに、前記表示装置の表示を前記ＵＩ画面に切り替え、ユーザから第２のモードが設定されたときに、前記無線インタフェースに接続した携帯装置が前記メタ情報を出力可能であると前記判定手段によって判定されている場合には、前記表示装置の表示を前記プレイヤ画面に切り替え、前記無線インタフェースに接続した携帯装置が前記メタ情報を出力可能でないと前記判定手段によって判定されている場合には、前記表示装置の前記ＵＩ画面の表示を維持するユーザインタフェース切替手段とを備え、前記オーディオ機能遠隔制御手段において、前記プレイヤ画面が表示されているときに、ユーザの前記ボタンの操作に応じて、前記無線インタフェースに接続した携帯装置のオーディオ機能を制御するようにしたものである。
【０００８】
このような車載装置によれば、無線接続された携帯装置がメタ情報を出力可能でない場合には、携帯装置のオーディオ機能の操作用のボタンと、当該携帯装置から取得した前記メタ情報の表示を含むプレイヤ画面を表示装置に表示せずに、他の機能を提供する機能部のＵＩ画面を表示装置に表示する。ここで、携帯装置がメタ情報を出力可能でない場合には、車載装置がプレイヤ画面に表示すべきメタ情報を取得できないために、当該プレイヤ画面のメタ情報の表示部分は無意なものとなる。したがって、このようにすることにより、車載装置の表示リソースを有効活用することができるようになる。
【０００９】
ここで、このような車載装置は、前記ユーザインタフェース切替手段において、ユーザから前記第２のモードが設定されたときに、前記無線インタフェースに接続した携帯装置が前記メタ情報を出力可能でないと前記判定手段によって判定されている場合には、前記表示装置の前記ＵＩ画面の表示を維持しつつ、当該ＵＩ画面の表示上に、前記無線インタフェースに接続した携帯装置のオーディオ機能の操作用のボタンを配置したオーディオ機能制御用ウインドウを表示し、前記オーディオ機能遠隔制御手段において、前記オーディオ機能制御用ウインドウが表示されているときに、当該オーディオ機能制御用ウインドウに配置された前記ボタンに対するユーザの操作に応じて、前記無線インタフェースに接続した携帯装置のオーディオ機能を制御するように構成してもよい。
【００１０】
このようにすることにより、携帯装置が前記メタ情報を出力可能でないために、プレイヤ画面を表示しない場合においても、ユーザが携帯装置のオーディオ機能の操作性は担保することができる。
また、このような車載装置は、前記機能部が提供する前記所定の機能をカーナビゲーション機能とし、前記ＵＩ画面は、地図上に現在位置を表したナビゲーション画面としてもよい。
また、このような車載装置は、前記無線インタフェースを、Bluetooth規格に従った無線インタフェースとし、前記判定手段において、前記無線インタフェースに接続した携帯装置が備えるプロファイルの情報を当該携帯装置より取得し、当該携帯装置が備えるAVRCP (Audio/Video Remote Control Profile)のバージョンが1.3以降のバージョンである場合に、当該携帯装置がオーディオ機能で再生中のオーディオデータのメタ情報を出力可能であると判定し、前記無線インタフェースに接続した携帯装置が備えるAVRCPのバージョンが1.3以降のバージョンでない場合に、当該携帯装置がオーディオ機能で再生中のオーディオデータのメタ情報を出力可能でないと判定するように構成してもよい。
【発明の効果】
【００１１】
以上のように、本発明によれば、携帯装置を接続可能な車載装置において、携帯装置のオーディオ機能の操作用のユーザインタフェースを、表示リソースを有効活用できるように制御することができる。
【図面の簡単な説明】
【００１２】
【図１】本発明の実施形態に係る車載装置とスマートフォンの構成を示すブロック図である。
【図２】本発明の実施形態に係る車載装置の表示画面例を示すブロック図である。
【図３】本発明の実施形態に係るユーザインタフェース切替処理を示すフローチャートである。
【発明を実施するための形態】
【００１３】
以下、本発明の実施形態について、車載装置に接続される携帯装置がスマートフォンである場合を例にとり説明する。
図１に、本第１実施形態に係る車載装置とスマートフォンの構成を示す。
スマートフォン２は、図示するように、操作部２０１、ディスプレイ２０２、マイクやスピーカなどを備えた音声入出力部２０３、ＢＴモジュール２０４、ＳＤＰ  ＤＢ２０５、スマートフォン２のＯＳであるところのＳＰ-オペレーティングシステム２０６、ＳＰ-オペレーティングシステム２０６によって管理されＳＰ-オペレーティングシステム２０６上で稼働するアプリケーションであるＳＰ-ＡＰ２０７、記憶部２０８、移動電話網にアクセスするための移動通信装置２０９を備えている。
【００１４】
また、スマートフォン２は、ＳＰ-ＡＰ２０７として、移動通信装置２０９や音声入出力部２０３や操作部２０１を用いた移動電話機能を提供する移動電話アプリケーションや、操作部２０１の操作に応じて、記憶部２０８に記録されているオーディオデータを再生し、音声入出力部２０３より出力するミュージックプレイヤアプリケーションなどの、複数のアプリケーションを備えている。
【００１５】
次に、スマートフォン２のＢＴモジュール２０４は、Bluetooth（登録商標）規格の下位スタックの処理を行うBluetooth規格で言うところのBluetoothモジュールであり、他の機器との無線接続を制御する処理などを行う。また、ＳＰ-オペレーティングシステム２０６は、Bluetooth（登録商標）規格の上位スタックのうちのアプリケーションレイヤより下位のスタックの処理を行う上位ＢＴスタック２０６１を備えている。
【００１６】
そして、ＢＴモジュール２０４と上位ＢＴスタック２０６１によって、SDP (Service Discovery Protocol)を含む各種プロファイルによって規定されるプロトコル/機能が実現される。
ここで、スマートフォン２のSDPによって規定されるプロトコル/機能は、スマートフォン２が提供するサービスの情報を、ＢＴモジュール２０４が無線接続した他の機器に提供する機能を有し、当該提供するサービスの情報は予めＳＤＰ  ＤＢ２０５に記述されている。ここで、このサービスの情報には、スマートフォン２が備えるプロファイルとそのバーションの情報も含まれる。
【００１７】
また、ＢＴモジュール２０４と、上位ＢＴスタック２０６１に含まれるAVCTP（Audio/Video Control Transport Protocol）等のスタックとミュージックプレイヤアプリケーションによって、ターゲットサイドのAVRCP (Audio/Video Remote Control Profile) によって規定されるプロトコル/機能が実現される。
【００１８】
ここで、このスマートフォン２のAVRCPによって規定されるプロトコル/機能とは、ＢＴモジュール２０４が無線接続した他の機器からのリモートコントロールを受け付けてスマートフォン２のオーディオ機能を制御する機能である。ただし、スマートフォン２が備えるAVRCPのバージョンはスマートフォン毎に異なり、各スマートフォン２は、AVRCPとして、再生/停止などの操作のリモートコントロールのみを受け付ける機能を有するAVRCP1.0、AVRCP1.0の機能に加え、再生中のオーディオデータのメタ情報（アルバム、アーティスト、タイトル、ジャンル、トラック番号等）の提供を行う機能を有するAVRCP1.3、AVRCP1.3の機能に加え、さらに、コンテンツのブラウジング等の機能を有するAVRCP1.4のいずれかを備えている。
【００１９】
さて、ミュージックプレイヤアプリケーションは、ＢＴモジュール２０４と上位ＢＴスタック２０６１を介して受け取った、ＢＴモジュール２０４が無線接続した他の機器よりのリモートコントロールに従って、記憶部２０８に記録されているオーディオデータの再生動作の制御を行って、再生したオーディオデータを上位ＢＴスタック２０６１とＢＴモジュール２０４を介して他の機器に配信したり、再生中のオーディオデータのメタ情報を、ＢＴモジュール２０４が無線接続した他の機器に提供することにより（AVRCP1.3、1.4の場合）上述したAVRCPの機能の一部を担う。
【００２０】
次に、車載装置１は、自動車に搭載される装置であり、図示するように、入力装置１０１、表示装置１０２、マイクやスピーカなどを備えた音声入出力装置１０３、ＢＴモジュール１０４、車載装置１のＯＳであるところのＨ-オペレーティングシステム１０５、Ｈ-オペレーティングシステム１０５によって管理されＨ-オペレーティングシステム１０５上で稼働するアプリケーションであるＨ-ＡＰ１０６、ＧＰＳ受信機１０７、ジャイロセンサ１０８、車速センサ１０９、記録装置１１０等を備えている。
【００２１】
ここで、車載装置１は、Ｈ-ＡＰ１０６として、ナビゲーションアプリケーションや、プレイヤクライアントアプリケーションなどを備えている。
ここで、ナビゲーションアプリケーションは、記録装置１１０に記録されている地図データを用いて、ＧＰＳ受信機１０７やジャイロセンサ１０８や車速センサ１０９を利用した現在位置や現在進行方向の算出や、ユーザからの目的地の設定の受け付けや、設定された目的地までのルートの探索や、地図上に現在位置や現在の進行方向を表すマークや目的地までのルートを表したナビゲーション画面の出力などを行う。
【００２２】
次に、車載装置１のＢＴモジュール１０４は、Bluetooth（登録商標）規格の下位スタックの処理を行うBluetooth規格で言うところのBluetoothモジュールであり、他の機器との無線接続を制御する処理などを行う。また、Ｈ-オペレーティングシステム１０５は、Bluetooth（登録商標）規格の上位スタックのうちのアプリケーションレイヤより下位のスタックの処理を行う上位ＢＴスタック１０５１を備えている。
【００２３】
そして、ＢＴモジュール１０４と上位ＢＴスタック１０５１によって、SDP、含む各種プロファイルによって規定されるプロトコル/機能が実現される。
ここで、車載装置１のSDPによって規定されるプロトコル/機能は、ＢＴモジュール１０４が無線接続した他の機器が提供するサービスの情報を取得する機能を有している。ここで、このサービスの情報には、他の機器が備えるプロファイルとそのバーションの情報も含まれる。
【００２４】
また、ＢＴモジュール１０４と、上位ＢＴスタック１０５１に含まれるAVCTP等のスタックと、プレイヤクライアントアプリケーションによって、コントロールサイドのAVRCPが実現される。
ここで、車載装置１のAVRCPは、ＢＴモジュール１０４が無線接続した他の機器のAVRCPと連携して当該他の機器のオーディオ機能を、リモートコントロールする機能を有する。また、車載装置１のAVRCPは、AVRCP1.0、AVRCP1.3、AVRCP1.4のいずれのバージョンにも対応している。
【００２５】
そして、車載装置１のプレイヤクライアントアプリケーションは、ＢＴモジュール１０４と上位ＢＴスタック１０５１を介して、ＢＴモジュール１０４が無線接続した他の機器から取得したメタ情報や、他の機器のオーディオ機能の制御用のボタンを表したプレイヤ画面の出力や、前記ボタンのユーザ操作を入力装置１０１を介して受け取って、上位ＢＴスタック１０５１とＢＴモジュール１０４を介してＢＴモジュール１０４が無線接続した他の機器に通知する処理を行うことにより、上述したAVRCPの機能の一部を担う。また、車載装置１のプレイヤクライアントアプリケーションは、ＢＴモジュール１０４と上位ＢＴスタック１０５１を介してＢＴモジュール１０４が無線接続した他の機器から配信されたオーディオデータが表す音声を音声入出力装置１０３から出力する処理も行う。
【００２６】
ここで、車載装置１は、動作モードとしてナビゲーションモードとプレイヤモードとを有し、ユーザは、入力装置１０１に設けられたモードキーを操作することにより、車載装置１の動作モードを、ナビゲーションモードとプレイヤモードとの間で任意に切り替えることができる。
【００２７】
また、本実施形態では、ユーザへのユーザインタフェースの提供に、図２ａに示すように、表示装置１０２の表示画面の全面に設定されるメインウインドウ３１と、メインウインドウ３１上に設定される帯状のコントロールウインドウ３２との二つのウインドウを用いる。ここで、メインウインドウ３１は、常時設定されるが、コントロールウインドウ３２の表示は消去することもできる。
【００２８】
ここで、ナビゲーションアプリケーションは、上述したナビゲーション画面の他に、コントロールウインドウ用の画面として、ナビゲーションアプリケーションの主要な操作の受け付け用のボタンを表示したナビゲーションコントロール画面を出力する。また、ミュージッククライアントアプリケーションは、上述したナビゲーション画面の他に、コントロールウインドウ用の画面として、スマートフォン２のオーディオ機能の主要な操作の受け付け用のボタンを配置したプレイヤコントロール画面を出力する。
【００２９】
そして、コントロールウインドウ３２には、図２ａ、ｂに示すように、ナビゲーションコントロール画面と、プレイヤコントロール画面のうちの一方が、切替ボタン３２１と共に表示される。
図２ａは、コントロールウインドウ３２に、切替ボタン３２１と共に、ナビゲーションコントロール画面が表示されているようすを表し、図示するようにナビゲーションコントロール画面には、ナビゲーション画面の地図の縮尺を変更操作受け付け用の「広域」、「詳細」ボタンと、目的地設定処理呼び出し操作受付用の「目的地」ボタンと、メニュー呼出操作受け付け用の「メニュー」ボタンが設けられている。
【００３０】
また、図２ｂは、コントロールウインドウ３２に、切替ボタン３２１と共に、プレイヤコントロール画面が表示されているようすを表し、図示するようにプレイヤコントロール画面には、再生開始操作受付用のボタンと、再生一時停止操作受け付け用のボタンが設けられている。
【００３１】
以下、車載装置１のＨ-オペレーティングシステム１０５が行うユーザインタフェース切替処理について説明する。
図３に、このユーザインタフェース切替処理の手順を示す。
図示するように、このユーザインタフェース切替処理では、動作モードの設定がナビゲーションモードに変更されたならば（ステップ３０２）、メインウインドウ３１に上述のようにナビゲーションアプリケーションが出力するナビゲーション画面を表示する（ステップ３０４）。そして、コントロールウインドウ３２を設定し、コントールウインドウにナビゲーションアプリケーションが出力するナビゲーションコントロール画面を表示する（ステップ３０６）。
【００３２】
この結果、表示装置１０２の表示は、図２ａに示すように、メインウインドウ３１にナビゲーション画面が表示され、コントールウインドウにナビゲーションコントロール画面が表示されたものとなる。
また、このユーザインタフェース切替処理では、動作モードの設定がプレイヤモードに変更されたならば（ステップ３０８）、ＢＴモジュール１０４が無線接続しているスマートフォン２が提供するサービスの一つであるAVRCPのバージョンが1.3以降であるか否かを判定する（ステップ３１０）。なお、ＢＴモジュール１０４が無線接続しているスマートフォン２が提供するサービスの情報は、上述のSDPの機能によって、スマートフォン２の無線接続時に取得される。
【００３３】
そして、ＢＴモジュール１０４が無線接続しているスマートフォン２が提供するサービスに含まれるAVRCPのバージョンが1.3より前のバージョン（すなわち、1.0）であれば、コントールウインドウにプレイヤクライアントアプリケーションが出力するプレイヤコントロール画面を表示する（ステップ３１２）。
【００３４】
この結果、表示装置１０２の表示は、図２ｂに示すように、メインウインドウ３１にナビゲーション画面が表示され、コントールウインドウにプレイヤコントロール画面が表示されたものとなる。
一方、ステップ３１０において、ＢＴモジュール１０４が無線接続しているスマートフォン２が提供するサービスに含まれるAVRCPのバージョンが1.3以降であると判定された場合には、メインウインドウ３１に上述のようにプレイヤクライアントアプリケーションが出力するプレイヤ画面を表示する（ステップ３１４）、そしてコントロールウインドウ３２の表示を消去する（ステップ３１６）。
【００３５】
この結果、表示装置１０２の表示は、図２ｃに示すように、メインウインドウ３１のみが設定され、当該メインウインドウ３１に、車載装置１に無線接続されているスマートフォン２から取得した再生中のオーディオデータのメタ情報（タイトル、アルバム、アーティスト等）の表示と、車載装置１に無線接続されているスマートフォン２のオーディオ機能の当該スマートフォン２のAVRCPが受け付け可能な操作をユーザから受け付けるための各種ボタン（サーチ、スキップ、再生/再生停止等）を表したプレイヤ画面が表示されたものとなる。
【００３６】
次に、コントールウインドウが表示されている状態においてコントロールウインドウ３２に設けた切替ボタン３２１の操作が発生した場合には（ステップ３１８）、コントロールウインドウ３２に表示する画面を切り替える（ステップ３２０）。すなわち、切替ボタン３２１の操作が発生した時点で図２ａのようにコントロールウインドウ３２にナビゲーションコントロール画面が表示されていれば、図２ｂに示すようにコントロールウインドウ３２の表示をプレイヤコントロール画面の表示に切り替え、切替ボタン３２１の操作が発生した時点で、図２ｂのようにコントロールウインドウ３２にプレイヤコントロール画面が表示されていれば、図２ａに示すようにコントロールウインドウ３２の表示をナビゲーションコントロール画面の表示に切り替える。
【００３７】
以上、車載装置１のＨ-オペレーティングシステム１０５が行うユーザインタフェース切替処理について説明した。
以上のように、本実施形態によれば、無線接続されたスマートフォン２がメタ情報を出力可能でない場合には、スマートフォン２のオーディオ機能の操作用のボタンと、当該スマートフォン２から取得した前記メタ情報の表示を含むプレイヤ画面を表示装置１０２のメインウインドウ３１に表示せずに、表示装置１０２のメインウインドウ３１をナビゲーション画面の表示に用いる。ここで、スマートフォン２がメタ情報を出力可能でない場合には、車載装置１がプレイヤ画面に表示すべきメタ情報を取得できないために、当該プレイヤ画面のメタ情報の表示部分は無意なものとなる。したがって、このようにすることにより、車載装置１の表示リソースを有効活用することができるようになる。
【００３８】
また、この場合においても、コントロールウインドウ３２には、スマートフォン２のオーディオ機能の主要な操作の受け付け用のボタンを配置したプレイヤコントロール画面は表示されるので、ユーザのスマートフォン２のオーディオ機能の操作性は担保される。
なお、以上の実施形態は、携帯装置がスマートフォン２である場合について説明したが、本実施形態は、ＰＤＡやポータブルオーディオプレイヤや携帯電話などの任意の携帯装置を車載装置１に接続して用いる場合に同様に適用可能である。
【符号の説明】
【００３９】
１…車載装置、２…スマートフォン、３１…メインウインドウ、３２…コントロールウインドウ、１０１…入力装置、１０２…表示装置、１０３…音声入出力装置、１０４…ＢＴモジュール、１０５…Ｈ-オペレーティングシステム、１０６…Ｈ-ＡＰ、１０７…ＧＰＳ受信機、１０８…ジャイロセンサ、１０９…車速センサ、１１０…記録装置、２０１…操作部、２０２…ディスプレイ、２０３…音声入出力部、２０４…ＢＴモジュール、２０５…ＳＤＰ  ＤＢ、２０６…ＳＰ-オペレーティングシステム、２０７…ＳＰ-ＡＰ、２０８…記憶部、２０９…移動通信装置、３２１…切替ボタン、１０５１…上位ＢＴスタック、２０６１…上位ＢＴスタック。
【図１】
2012221392.tif 000003
【図２】
2012221392.tif 000004
【図３】
2012221392.tif 000005